(57)【要約】【課題】既存の移動通信システムをそのまま使用して、ネットワーク上のメッセージセンタの記憶装置に通話内容を記憶、再生する通話内容記録サービスシステムとサービス方法を提供する。【解決手段】交換局４０が、通話中に発信者側の移動端末１０から送信される通話内容の記録サービスのサービス要求を受信したとき、共通線信号網５０を介してサービス制御局７０へサービス要求のサービス内容を問い合わせ、サービス制御局からサービス内容が通話内容の記録サービスの要求である旨の応答を受けたとき、電話網８０を介してメッセージセンタ６０との通話路を確立し、且つ共通線信号網を介してメッセージセンタへ通話中の通話内容の記録を指示する。【選択図】　　　図１
2004032449.tif 000002
【特許請求の範囲】
【請求項１】
移動端末が基地局、交換局を介して電話網に接続される移動通信システムにおいて、前記交換局と共通線信号網を介して接続されるサービス制御局と、前記交換局と前記共通線信号網を介して接続され、且つ前記電話網と接続されるメッセージセンタとを備え、前記交換局が、通話中に発信者側の前記移動端末から送信される通話内容の記録サービスのサービス要求を受信したとき、前記共通線信号網を介して前記サービス制御局へ前記サービス要求のサービス内容を問い合わせ、前記サービス制御局から前記サービス内容が前記通話内容の記録サービスの要求である旨の応答を受けたとき、電話網を介してメッセージセンタとの通話路を確立し、且つ前記共通線信号網を介して前記メッセージセンタへ前記通話中の通話内容の記録を指示することを特徴とする通話内容記録サービスシステム。
【請求項２】
前記交換局が、発信者側の前記移動端末から送信される前記通話内容記録の再生サービスのサービス要求を受信したとき、前記共通線信号網を介して前記サービス制御局へ前記サービス要求のサービス内容を問い合わせ、前記サービス制御局から前記サービス内容が前記通話内容記録の再生サービスの要求である旨の応答を受けたとき、電話網を介してメッセージセンタとの通話路を確立し、且つ前記共通線信号網を介して前記メッセージセンタへ前記通話内容記録の再生を指示することを特徴とする請求項１記載の通話内容記録サービスシステム。
【請求項３】
前記交換局は、前記発信者側の前記移動端末から送信される前記通話内容記録の消去サービスのサービス要求を受信したとき、前記共通線信号網を介して前記サービス制御局へ前記サービス要求のサービス内容を問い合わせ、前記サービス制御局から前記サービス内容が前記通話内容記録の消去サービスの要求である旨の応答を受けたとき、前記共通線信号網を介して前記メッセージセンタへ前記通話内容の消去を指示することを特徴とする請求項１記載の通話内容記録サービスシステム。
【請求項４】
前記交換局は、前記共通線信号網を介して前記サービス制御局へ前記サービス要求のサービス内容を問い合わせする際、前記発信者側の前記移動端末の識別子を含めて送信することを特徴とする請求項１乃至３記載の通話内容記録サービスシステム。
【請求項５】
前記サービス制御局は、前記交換局から前記共通線信号網を介して前記サービス要求のサービス内容の問い合わせを受信したとき、前記サービス内容が前記通話内容の記録サービスであることを識別すると共に、前記発信者側の前記移動端末の識別子を基に前記通話内容記録サービスの契約者であるか否かを判定し、契約者であるとき前記共通線信号網を介して前記交換局へ前記メッセージセンタとの通話路の形成を指示することを特徴とする請求項１記載の通話内容記録サービスシステム。
【請求項６】
前記サービス制御局は、前記交換局から前記共通線信号網を介して前記サービス要求のサービス内容の問い合わせを受信したとき、前記サービス内容が前記通話内容の再生サービスであることを識別すると共に、前記発信者側の前記移動端末の識別子を基に前記通話内容記録サービスの契約者であるか否かを判定し、契約者であるとき前記共通線信号網を介して前記交換局へ前記メッセージセンタとの通話路の形成を指示することを特徴とする請求項２記載の通話内容記録サービスシステム。
【請求項７】
前記サービス制御局は、前記交換局から前記共通線信号網を介して前記サービス要求のサービス内容の問い合わせを受信したとき、前記サービス内容が前記通話内容記録の消去サービスであることを識別すると共に、前記発信者側の前記移動端末の識別子を基に前記通話内容記録サービスの契約者であるか否かを判定し、契約者であるとき前記共通線信号網を介して前記交換局へ前記メッセージセンタに記録されている前記通話内容記録の消去を指示することを特徴とする請求項３記載の通話内容記録サービスシステム。
【請求項８】
前記交換局は、前記メッセージセンタに対し前記通話内容の記録、前記通話内容記録の再生、前記通話内容記録の消去を指示する際、前記発信者側の前記移動端末の識別子を含めて送信することを特徴とする請求項１乃至３記載の通話内容記録サービスシステム。
【請求項９】
前記メッセージセンタは、前記通話内容を記憶装置に記憶する際、前記通話内容の記録を要求した前記発信者側の前記移動端末の識別子に対応して前記通話内容を記録することを特徴とする請求項１記載の通話内容記録サービスシステム。
【請求項１０】
前記交換局は、前記共通線信号網を介して前記サービス制御局へ前記サービス要求のサービス内容を問い合わせる際、前記発信者側の前記移動端末の識別子と前記発信者の通話相手である着信側の移動端末または固定端末の識別子を含めて送信することを特徴とする請求項１乃至３記載の通話内容記録サービスシステム。
【請求項１１】
前記交換局は、前記発信者の通話相手である着信側の移動端末または固定端末から送信される前記通話内容記録の再生サービスのサービス要求を受信したとき、前記共通線信号網を介してサービス制御局へ前記着信側の移動端末または固定端末の識別子を含めて前記サービス要求のサービス内容を問い合わせ、前記サービス制御局から前記サービス内容が前記通話内容記録の再生サービスの要求である旨の応答を受けたとき、電話網を介して前記メッセージセンタとの通話路を確立し、且つ前記共通線信号網を介して前記メッセージセンタへ前記通話内容記録の再生を指示することを特徴とする請求項２記載の通話内容記録サービスシステム。
【請求項１２】
前記交換局が、前記メッセージセンタに前記通話内容の記録を指示する際、前記共通線信号網を介して前記発信側の前記移動端末の識別子と前記発信者の通話相手である着信側の移動端末または固定端末の識別子を含めて送信することを特徴とする請求項１記載の通話内容記録サービスシステム。
【請求項１３】
前記メッセージセンタは、前記通話内容を記憶装置に記憶する際、前記交換局から前記共通線信号網を介して受信した前記通話内容の記録を要求した前記発信者側の前記移動端末の識別子および前記発信者の通話相手である着信側の移動端末または固定端末の識別子に対応して前記通話内容を記録することを特徴とする請求項１記載の通話内容記録サービスシステム。
【請求項１４】
前記発信者側の前記移動端末から送信する前記通話内容の記録サービスのサービス要求は、予め設定された記録要求特番であることを特徴とする請求項１記載の通話内容記録サービスシステム。
【請求項１５】
前記発信者側の前記移動端末から送信する前記通話内容の記録サービスのサービス要求は、予め設定された再生要求特番であることを特徴とする請求項２記載の通話内容記録サービスシステム。
【請求項１６】
前記発信者側の前記移動端末から送信する前記通話内容記録の消去サービスのサービス要求は、予め設定された消去要求特番であることを特徴とする請求項３記載の通話内容記録サービスシステム。
【請求項１７】
前記サービス制御局は、前記交換局から前記サービス内容の問い合わせを受信したとき、前記サービス内容が前記通話内容の記録サービス要求か、再生サービス要求か、消去サービス要求であるかの識別および前記発信者側の前記移動端末または前記発信者の通話相手である着信側の移動端末または固定端末が前記通話内容記録サービスの契約者であるか否かを判定するためのサービス管理テーブルを有し、前記サービス管理テーブルは、少なくとも通話内容記録サービスの契約者の識別子および前記記録要求特番、前記再生要求特番、前記消去要求特番を識別するための識別情報が記載されていることを特徴とする請求項５乃至７、１１記載の通話内容記録サービスシステム。
【請求項１８】
移動端末が基地局、交換局を介して電話網に接続される移動通信システムにおいて、前記交換局と共通線信号網を介して接続されるサービス制御局と、前記交換局と前記共通線信号網を介して接続され、且つ前記電話網と接続されるメッセージセンタとを備え、前記交換局が、通話中の発信者の前記移動端末から通話内容の記録サービス要求を受信したとき、前記共通線信号網を介して前記サービス制御局へ前記発信者の前記移動端末の識別子を含めて受信した前記サービス要求のサービス内容を問い合わせる第１のステップと、サービス内容の問い合わせを受けた前記サービス制御局がサービス管理テーブルを検索して前記発信者の前記移動端末が前記通話内容記録サービスの契約者であることを識別すると共に、前記サービス内容が前記通話内容の記録であることを判定し、前記共通線信号網を介して前記交換局へメッセージセンタとの接続を指示する第２のステップと、前記サービス制御局から前記共通線信号網を介して前記メッセージセンタとの接続指示を受けた前記交換局が前記電話網を介して前記メッセージセンタとの通話路を確立すると共に、前記共通線信号網を介して前記メッセージセンタへ前記発信者の前記移動端末の識別子を含めて前記通話内容の記録を指示する第３のステップと、前記メッセージセンタが前記共通線信号網を介して受信した前記発信者の前記移動端末の識別子に対応して、前記通話路を介して送信されてくる前記通話内容を記憶装置に記録する第４のステップと、前記交換局が前記通話中の通話終了を検出したとき前記共通線信号網を介して前記通話内容の記録停止を指示する第５のステップとを有することを特徴とする通話内容記録サービス方法。
【請求項１９】
前記第３のステップにおいて、前記交換局が前記共通線信号網を介して前記メッセージセンタへ前記発信者の前記移動端末の識別子および前記発信者の通話相手である着信者の移動端末または固定端末の識別子を含めて前記通話内容の記録を指示することを特徴とする請求項１８記載の通話内容記録サービス方法。
【請求項２０】
前記第４のステップにおいて、前記メッセージセンタが前記共通線信号網を介して受信した前記発信者の前記移動端末の識別子と前記発信者の通話相手である着信者の移動端末または固定端末の識別子とに対応して前記通話路を介して送信されてくる前記通話内容を記憶装置に記録することを特徴とする請求項１８記載の通話内容記録サービス方法。
【請求項２１】
前記交換局が前記通話内容の記録を要求した前記発信者の前記移動端末から前記通話内容の再生サービス要求を受信したとき、前記共通線信号網を介して前記サービス制御局へ前記発信者の前記移動端末の識別子を含めて受信したサービス要求のサービス内容を問い合わせる第６のステップと、サービス内容の問い合わせを受けた前記サービス制御局がサービス管理テーブルを検索して前記発信者の前記移動端末が前記通話内容記録サービスの契約加入者であることを識別すると共に、前記サービス内容が前記通話内容の再生であることを判定し、前記共通線信号網を介して前記交換局へ前記メッセージセンタとの接続を指示する第７のステップと、前記サービス制御局から前記共通線信号網を介して前記メッセージセンタとの接続指示を受けた前記交換局が前記電話網を介して前記メッセージセンタとの通話路を確立すると共に、前記共通線信号網を介して前記メッセージセンタへ前記発信者の前記移動端末の識別子を含めて前記通話内容の再生を指示する第８のステップと、前記メッセージセンタが前記共通線信号網を介して受信した前記発信者の前記移動端末の識別子に対応して前記記憶装置に記憶されている前記通話内容を再生する第９のステップと、前記交換局が前記通話内容の再生を要求した前記発信者の前記移動端末のオンフックを検出したとき、前記共通線信号網を介して前記メッセージセンタへ前記通話内容の再生停止を指示する第１０のステップとを有することを特徴とする通話内容記録サービス方法。
【請求項２２】
前記第６のステップにおいて、前記発信者の前記移動端末の通話相手である前記移動端末または前記固定端末から前記通話内容の再生サービス要求を受信したとき、前記共通線信号網を介して前記サービス制御局へ前記発信者の通信相手でる前記移動端末または固定端末の識別子を含めて受信したサービス要求のサービス内容を問い合わせ、前記第８のステップにおいて、前記共通線信号網を介して前記メッセージセンタへ前記発信者の前記移動端末の通話相手である前記移動端末または前記固定端末の識別子を含めて前記通話内容の再生を指示し、前記第９のステップにおいて、前記共通線信号網を介して受信した前記発信者の前記移動端末の通話相手である前記移動端末または前記固定端末の識別子に対応して前記記憶装置に記憶されている前記通話内容を再生することを特徴とする請求項２１記載の通話内容記録サービス方法。
【発明の詳細な説明】
【０００１】
【発明の属する技術分野】
本発明は、通話内容記録サービスに関し、特に通話内容をメッセージセンタに記録、再生可能なサービスに関する。
【０００２】
【従来の技術】
従来、通話者自身が通話内容を記録するためには、手書きによる記録することが多く、円滑な会話が困難であった。そのため通話時にその通話内容を自動的に記録および再生することが可能なサービス提供が望まれる。
【０００３】
このような要望を実現するために、通話中状態にある通話に対して加入者（通話者）が必要に応じてその通話内容を交換機に録音させ、且つ通話終了後に通話内容を確認可能な通話録音方式が、例えば特開平５−３４４２１３号公報に開示されている（第１の従来技術）。
【０００４】
この第１の従来技術の通話録音方式は、電話交換機に、通話路スイッチに収容され通話を録音する録音装置と、通話中の第１及び第２の加入者と録音装置とを接続するため通話路スイッチに収容される接続装置とを設け、通話中の第１の加入者から操作入力された録音要求を示す信号を認識し、第１及び第２の加入者の通話を接続装置を介し録音装置へ引込んで識別符号を付し録音させ、第１の加入者から操作入力された録音解除を示す信号を認識し、第１及び第２の加入者と録音装置との接続を解放し、通話終了後、録音を要求した第１の加入者から操作入力された通話内容確認要求を示す信号を認識し、識別符号を参照し、録音装置に録音されている該当の通話録音を選択し、第１の加入者へ送出するものである。
【０００５】
また、ＰＢＸに接続された外線と内線電話機の通話を自動的に録音して蓄積することが可能な音声蓄積装置が、例えば特開平９−４６４２８号公報に開示されている（第２の従来技術）。
【０００６】
この第２の従来技術の音声蓄積装置は、外線側が内線電話機との通話を切断したとき、内線側がそれまでに通話録音していたメッセージの宛先メールボックスを指定していなかった場合に、外線からの話中音を検出した後、録音を停止し、操作者が話中音聴取中に内線電話機から宛先メールボックスを指定することにより、録音した通話内容のみをメッセージとして記憶するものである。
【０００７】
また、構内自動交換機を経由して接続されている複数の電話機間の通話内容を録音可能な構内交換システムの音声メール装置が、例えば特開平１１−３５５８２１号公報に開示されている（第３の従来技術）。
【０００８】
この第３の従来技術の音声メール装置は、構内自動交換機から送出される特定のプッシュボタン信号を受信して録音を開始し、構内自動交換機から送出される他の特定のプッシュボタン信号を受信して録音を終了し、また構内自動交換機から特定の複数のプッシュボタン信号のうち一つの信号を受信した後、一定時間内に他のプッシュボタン信号を受信したとき録音を停止するものである。
【０００９】
また、複数の内線の内の一つの内線に対し、外線から他の内線宛の伝言を依頼されたとき、その伝言を即座に録音すると共に、その伝言の宛先電話機以外への転送を回避する電話交換装置が、例えば特許第２８９６３９６号公報に開示されている（第４の従来技術）。
【００１０】
この第４の従来技術の電話交換装置は、外線と通話中の内線から録音要求を受けたとき録音内容を蓄積し、録音要求した内線から再生すべき内線の指定がないとき、その録音内容を録音要求した内線以外に再生を制限し、録音要求した内線から再生すべき内線が指定されたとき、指定された内線以外に再生を制限するように再生制限を変更するものである。
【００１１】
また、通信網内に通話内容録音機能を設け、網に対して通話内容または音声メモの記録を指示することにより、通話内容またはメモを記録し、網内の記憶装置に指示して記録内容を再生する通話内容記憶方式が、例えば特開平１１−３５５４４４号公報に開示されている（第５の従来技術）。
【００１２】
この第５の従来技術の通話内容記憶方式は、基地局に対するサービス指示機能を有する電話端末と、ユーザの契約内容を記憶しその内容を基地局へ通知する機能および発／着呼のユーザの認証を実施し、その結果を基地局へ通知する機能を有するサービスコントロールポイントと、基地局に録音された伝言内容を受信する機能と、受信した伝言内容を記憶・保持する機能およびユーザの要望により伝言内容を再生する機能を有するボイスメールセンタと、サービスコントロールポイントに対するアクセス機能を有し、サービスコントロールポイントから受信した加入者の契約状況および認証結果を判断し、通話メモサービスの起動可否を判定する機能、電話端末からの伝言内容を録音し記憶する機能並びに記憶した内容をボイスメールセンタにアップロードする機能を有する基地局とから構成され、電話端末の通信中の会話内容および待受け中のユーザメモをボイスメールセンタに記憶・保持するものである。
【００１３】
また、通話中の会話内容を双方向で録音、再生可能なデジタル式無線電話機が、例えば特開平１０−２７１０６１号公報に開示されている（第６の従来技術）。
【００１４】
この第６の従来技術のデジタル式無線電話機は、音声信号をデジタル信号に変換し、変換したデジタル信号を無線回線を通じて送受するデジタル式無線電話機において、送信側デジタル信号と受信側デジタル信号とのミキシング機能と、音声信号のデジタル信号を記憶するメモリと、メモリにデジタルデータを書き込むためのインタフェースと、メモリへの書き込み、読み出しを制御する制御部とを備え、通話中の双方向の会話内容の録音、再生を可能とするものである。
【００１５】
【発明が解決しようとする課題】
上記第１の従来技術は、電話交換機の通話路スイッチにより三者接続装置を介して記憶装置を接続し、通話中の通話内容を記憶装置に記録するが、認証機能がないため、記憶装置に第三者が用意にアクセスすることができ、記録した通話内容が第三者に漏れる。
【００１６】
また、各交換機に記憶装置を配備するため、電話交換機が複数使用される大規模な交換システムにおいては、電話交換機の数だけ記憶装置が必要であり、不経済であるばかりか、保守も容易でない。
【００１７】
第２、第３、第４の従来技術は、何れも構内交換システムにおける通話内容の記録であり、移動通信システムにおける通話内容の記録ではない。また、構内交換機に音声蓄積装置を配備するため、電話交換機が複数使用される大規模な交換システムにおいては、電話交換機の数だけ記憶装置が必要であり、不経済であるばかりか、保守も容易でない。
【００１８】
第５の従来技術は、移動通信システムにおける通話内容の記録であるが、基地局がサービスアクセスポイントへアクセスして受信したユーザの契約状況、認証結果を基に基地局の記憶装置に通話内容を記録した後、基地局からボイスメールセンタへアップロードするので、基地局に専用の記憶装置が必要になる。
【００１９】
また、基地局からボイスメールセンタへアップロードするための余計な処理が必要になる。
【００２０】
第６の従来技術は、移動端末の記憶装置に通話内容を記録するものであり、記憶容量の大きな記憶装置が必要になる。
【００２１】
本発明の目的は、既存の移動通信システム（移動端末、基地局、および交換局）に手を加えることなく、ネットワーク上のメッセージセンタの記憶装置に通話内容を記憶し、再生することができる通話内容記録サービスシステムとサービス方法を提供することにある。
【００２２】
【課題を解決するための手段】
本発明の通話内容記録サービスシステムは、移動端末が基地局、交換局を介して電話網に接続される移動通信システムにおいて、前記交換局と共通線信号網を介して接続されるサービス制御局と、前記交換局と前記共通線信号網を介して接続され、且つ前記電話網と接続されるメッセージセンタとを備え、前記交換局が、通話中に発信者側の前記移動端末から送信される通話内容の記録サービスのサービス要求を受信したとき、前記共通線信号網を介して前記サービス制御局へ前記サービス要求のサービス内容を問い合わせ、前記サービス制御局から前記サービス内容が前記通話内容の記録サービスの要求である旨の応答を受けたとき、電話網を介してメッセージセンタとの通話路を確立し、且つ前記共通線信号網を介して前記メッセージセンタへ前記通話中の通話内容の記録を指示することを特徴とする。
【００２３】
また、前記交換局が、発信者側の前記移動端末から送信される前記通話内容記録の再生サービスのサービス要求を受信したとき、前記共通線信号網を介して前記サービス制御局へ前記サービス要求のサービス内容を問い合わせ、前記サービス制御局から前記サービス内容が前記通話内容記録の再生サービスの要求である旨の応答を受けたとき、電話網を介してメッセージセンタとの通話路を確立し、且つ前記共通線信号網を介して前記メッセージセンタへ前記通話内容記録の再生を指示することを特徴とする。
【００２４】
また、前記交換局は、前記発信者側の前記移動端末から送信される前記通話内容記録の消去サービスのサービス要求を受信したとき、前記共通線信号網を介して前記サービス制御局へ前記サービス要求のサービス内容を問い合わせ、前記サービス制御局から前記サービス内容が前記通話内容記録の消去サービスの要求である旨の応答を受けたとき、前記共通線信号網を介して前記メッセージセンタへ前記通話内容の消去を指示することを特徴とする。
【００２５】
また、前記交換局は、前記共通線信号網を介して前記サービス制御局へ前記サービス要求のサービス内容を問い合わせする際、前記発信者側の前記移動端末の識別子を含めて送信することを特徴とする。
【００２６】
また、前記サービス制御局は、前記交換局から前記共通線信号網を介して前記サービス要求のサービス内容の問い合わせを受信したとき、前記サービス内容が前記通話内容の記録サービスであることを識別すると共に、前記発信者側の前記移動端末の識別子を基に前記通話内容記録サービスの契約者であるか否かを判定し、契約者であるとき前記共通線信号網を介して前記交換局へ前記メッセージセンタとの通話路の形成を指示することを特徴とする。
【００２７】
また、前記サービス制御局は、前記交換局から前記共通線信号網を介して前記サービス要求のサービス内容の問い合わせを受信したとき、前記サービス内容が前記通話内容の再生サービスであることを識別すると共に、前記発信者側の前記移動端末の識別子を基に前記通話内容記録サービスの契約者であるか否かを判定し、契約者であるとき前記共通線信号網を介して前記交換局へ前記メッセージセンタとの通話路の形成を指示することを特徴とする。
【００２８】
また、前記サービス制御局は、前記交換局から前記共通線信号網を介して前記サービス要求のサービス内容の問い合わせを受信したとき、前記サービス内容が前記通話内容記録の消去サービスであることを識別すると共に、前記発信者側の前記移動端末の識別子を基に前記通話内容記録サービスの契約者であるか否かを判定し、契約者であるとき前記共通線信号網を介して前記交換局へ前記メッセージセンタに記録されている前記通話内容記録の消去を指示することを特徴とする。
【００２９】
また、前記交換局は、前記メッセージセンタに対し前記通話内容の記録、前記通話内容記録の再生、前記通話内容記録の消去を指示する際、前記発信者側の前記移動端末の識別子を含めて送信することを特徴とする。
【００３０】
また、前記メッセージセンタは、前記通話内容を記憶装置に記憶する際、前記通話内容の記録を要求した前記発信者側の前記移動端末の識別子に対応して前記通話内容を記録することを特徴とする。
【００３１】
また、前記交換局は、前記共通線信号網を介して前記サービス制御局へ前記サービス要求のサービス内容を問い合わせる際、前記発信者側の前記移動端末の識別子と前記発信者の通話相手である着信側の移動端末または固定端末の識別子を含めて送信することを特徴とする。
【００３２】
また、前記交換局は、前記発信者の通話相手である着信側の移動端末または固定端末から送信される前記通話内容記録の再生サービスのサービス要求を受信したとき、前記共通線信号網を介してサービス制御局へ前記着信側の移動端末または固定端末の識別子を含めて前記サービス要求のサービス内容を問い合わせ、前記サービス制御局から前記サービス内容が前記通話内容記録の再生サービスの要求である旨の応答を受けたとき、電話網を介して前記メッセージセンタとの通話路を確立し、且つ前記共通線信号網を介して前記メッセージセンタへ前記通話内容記録の再生を指示することを特徴とする。
【００３３】
また、前記交換局が、前記メッセージセンタに前記通話内容の記録を指示する際、前記共通線信号網を介して前記発信側の前記移動端末の識別子と前記発信者の通話相手である着信側の移動端末または固定端末の識別子を含めて送信することを特徴とする。
【００３４】
また、前記メッセージセンタは、前記通話内容を記憶装置に記憶する際、前記交換局から前記共通線信号網を介して受信した前記通話内容の記録を要求した前記発信者側の前記移動端末の識別子および前記発信者の通話相手である着信側の移動端末または固定端末の識別子に対応して前記通話内容を記録することを特徴とする。
【００３５】
また、前記発信者側の前記移動端末から送信する前記通話内容の記録サービスのサービス要求は、予め設定された記録要求特番であることを特徴とする。
【００３６】
また、前記発信者側の前記移動端末から送信する前記通話内容の記録サービスのサービス要求は、予め設定された再生要求特番であることを特徴とする。
【００３７】
また、前記発信者側の前記移動端末から送信する前記通話内容記録の消去サービスのサービス要求は、予め設定された消去要求特番であることを特徴とする。
【００３８】
また、前記サービス制御局は、前記交換局から前記サービス内容の問い合わせを受信したとき、前記サービス内容が前記通話内容の記録サービス要求か、再生サービス要求か、消去サービス要求であるかの識別および前記発信者側の前記移動端末または前記発信者の通話相手である着信側の移動端末または固定端末が前記通話内容記録サービスの契約者であるか否かを判定するためのサービス管理テーブルを有し、前記サービス管理テーブルは、少なくとも通話内容記録サービスの契約者の識別子および前記記録要求特番、前記再生要求特番、前記消去要求特番を識別するための識別情報が記載されていることを特徴とする。
【００３９】
本発明の通話内容記録サービス方法は、移動端末が基地局、交換局を介して電話網に接続される移動通信システムにおいて、前記交換局と共通線信号網を介して接続されるサービス制御局と、前記交換局と前記共通線信号網を介して接続され、且つ前記電話網と接続されるメッセージセンタとを備え、前記交換局が、通話中の発信者の前記移動端末から通話内容の記録サービス要求を受信したとき、前記共通線信号網を介して前記サービス制御局へ前記発信者の前記移動端末の識別子を含めて受信した前記サービス要求のサービス内容を問い合わせる第１のステップと、サービス内容の問い合わせを受けた前記サービス制御局がサービス管理テーブルを検索して前記発信者の前記移動端末が前記通話内容記録サービスの契約者であることを識別すると共に、前記サービス内容が前記通話内容の記録であることを判定し、前記共通線信号網を介して前記交換局へメッセージセンタとの接続を指示する第２のステップと、前記サービス制御局から前記共通線信号網を介して前記メッセージセンタとの接続指示を受けた前記交換局が前記電話網を介して前記メッセージセンタとの通話路を確立すると共に、前記共通線信号網を介して前記メッセージセンタへ前記発信者の前記移動端末の識別子を含めて前記通話内容の記録を指示する第３のステップと、前記メッセージセンタが前記共通線信号網を介して受信した前記発信者の前記移動端末の識別子に対応して、前記通話路を介して送信されてくる前記通話内容を記憶装置に記録する第４のステップと、前記交換局が前記通話中の通話終了を検出したとき前記共通線信号網を介して前記通話内容の記録停止を指示する第５のステップとを有することを特徴とする。
【００４０】
また、前記第３のステップにおいて、前記交換局が前記共通線信号網を介して前記メッセージセンタへ前記発信者の前記移動端末の識別子および前記発信者の通話相手である着信者の移動端末または固定端末の識別子を含めて前記通話内容の記録を指示することを特徴とする。
【００４１】
また、前記第４のステップにおいて、前記メッセージセンタが前記共通線信号網を介して受信した前記発信者の前記移動端末の識別子と前記発信者の通話相手である着信者の移動端末または固定端末の識別子とに対応して前記通話路を介して送信されてくる前記通話内容を記憶装置に記録することを特徴とする。
【００４２】
また、前記交換局が前記通話内容の記録を要求した前記発信者の前記移動端末から前記通話内容の再生サービス要求を受信したとき、前記共通線信号網を介して前記サービス制御局へ前記発信者の前記移動端末の識別子を含めて受信したサービス要求のサービス内容を問い合わせる第６のステップと、サービス内容の問い合わせを受けた前記サービス制御局がサービス管理テーブルを検索して前記発信者の前記移動端末が前記通話内容記録サービスの契約加入者であることを識別すると共に、前記サービス内容が前記通話内容の再生であることを判定し、前記共通線信号網を介して前記交換局へ前記メッセージセンタとの接続を指示する第７のステップと、前記サービス制御局から前記共通線信号網を介して前記メッセージセンタとの接続指示を受けた前記交換局が前記電話網を介して前記メッセージセンタとの通話路を確立すると共に、前記共通線信号網を介して前記メッセージセンタへ前記発信者の前記移動端末の識別子を含めて前記通話内容の再生を指示する第８のステップと、前記メッセージセンタが前記共通線信号網を介して受信した前記発信者の前記移動端末の識別子に対応して前記記憶装置に記憶されている前記通話内容を再生する第９のステップと、前記交換局が前記通話内容の再生を要求した前記発信者の前記移動端末のオンフックを検出したとき、前記共通線信号網を介して前記メッセージセンタへ前記通話内容の再生停止を指示する第１０のステップとを有することを特徴とする。
【００４３】
また、前記第６のステップにおいて、前記発信者の前記移動端末の通話相手である前記移動端末または前記固定端末から前記通話内容の再生サービス要求を受信したとき、前記共通線信号網を介して前記サービス制御局へ前記発信者の通信相手でる前記移動端末または固定端末の識別子を含めて受信したサービス要求のサービス内容を問い合わせ、前記第８のステップにおいて、前記共通線信号網を介して前記メッセージセンタへ前記発信者の前記移動端末の通話相手である前記移動端末または前記固定端末の識別子を含めて前記通話内容の再生を指示し、前記第９のステップにおいて、前記共通線信号網を介して受信した前記発信者の前記移動端末の通話相手である前記移動端末または前記固定端末の識別子に対応して前記記憶装置に記憶されている前記通話内容を再生することを特徴とする。
【００４４】
【発明の実施の形態】
本発明の実施の形態について図面を参照して説明する。
【００４５】
図１は本発明のシステム構成図、図２は本発明の通話内容記録サービスの制御動作を説明するフローチャートである。
【００４６】
本発明のシステム構成は図１に示すように、交換局４０には交換網を介して基地局３０が接続され、基地局３０には無線回線（移動体網）を介して移動体端末１０が接続され、更に固定端末２０が交換網を介して接続されている。
【００４７】
また、電話網（音声通信回線）８０には交換局４０とメッセージセンタ６０が配設され、メッセージセンタ６０およびサービス制御局７０が、共通線信号網５０を介して交換局４０と接続され、種々制御信号の送受信が行われる。
【００４８】
また、メッセージセンタ６０は、交換局４０と音声信号路により直接接続され、音声信号の送受信が行われる。
【００４９】
メッセージセンタ６０は、通話内容の記録、再生機能を有し、交換局から移動体端末１０と固定端末２０との通話音声を受信し記憶装置に記録し、記録した通話音声を再生して交換局４０へ送信する。
【００５０】
サービス制御局７０は、通話内容記録サービス全般を管理し、サービス加入者の認証、通話内容の記録および再生の許可、制御を行う。
【００５１】
交換局４０は、発信者と着信者間の通話路を確立すると共に、発信者から通話内容記録サービスのサービス要求を受け付けたとき、共通線信号網を介してサービス制御局７０に対しサービス内容の問い合わせを行う。
【００５２】
サービス制御局７０は交換局４０からのサービス内容の問合せを受けると、サービス要求した加入者（発信者）が通話内容記録サービス加入者であることを確認して通話内容記録サービスを提供するために、メッセージセンタとの接続を共通線信号網５０を介して交換局４０へ指示する。
【００５３】
交換局４０は共通線信号網５０を介してサービス制御局７０からメッセージセンタとの接続指示を受けると、メッセージセンタ６０との間に通話路を確立し、移動体端末１０と固定端末２０との間の通話内容を記憶装置（図示せず）に記録する。
【００５４】
通話終了後、交換局４０は発信者から再生要求をうけると、共通線信号網５０を介してサース制御局７０へ呼処理サービスの問合せを行い、サービス制御局７０は再生要求した発信者が通話内容記録サービス加入者であることを確認してメッセージセンタ６０への着信を共通線信号網５０を介して指示する。
【００５５】
交換局４０は発信者とメッセージセンタ６０との通話路を確立すると共に、共通線信号網５０を介して通話内容の再生を指示し、再生音声を発信者へ送信する。
【００５６】
交換局４０は通話終了を検出すると共通線信号網５０を介してメッセージセンタ６０へ通話内容の記録停止を指示する。
【００５７】
このような構成により、通話中における通話内容をネットワーク（電話網）上のメッセージセンタに記録し、必要に応じ再生することができ、ユーザ端末（移動体端末、固定端末）、基地局、あるいは交換局に専用の通話内容記録用の記憶装置を用意することなく、ネットワーク上のメッセージセンタの記憶装置を複数のユーザが共有することができるため、システム全体のコストパフォーマンスが向上する。
【００５８】
次に図２に図１を併せて参照し通話内容の記録処理について説明する。なお、ここでは移動体端末１０から固定端末２０へ発信して移動体端末１０と固定端末２０が現在通話中として説明する。固定端末２０は公衆電話あるいは一般的な家庭電話機である。
【００５９】
移動体端末１０と固定端末２０とが通話中に（Ｓ１０１）、移動体端末１０のユーザがその通話内容を録音すべく予め設定されたサービス特番を移動体端末１０から通知することにより通話内容記録サービスを要求する（Ｓ１０２）。
【００６０】
このサービス要求は基地局３０を介して交換局４０へ送信され、交換局４０はサービス特番を受信すると、この特番に対するサービス内容を共通線信号網５０を介してサービス制御局７０へ問合せする（Ｓ１０３）。
【００６１】
このように、サービス制御局７０に各種サービスの管理を分担させ、交換局４０はサービス内容の識別をせずに単にサービス特番を転送することにより、各種サービスが追加された場合でも交換局４０は何らサービス個々に対応する処理機能を追加、変更する必要がなく既存機能のままで対応することができる。
【００６２】
このとき交換局４０は、受信したサービス特番と共に移動体端末１０の識別子（例えば加入者番号）をサービス制御局７０へ送信する。
【００６３】
サービス制御局７０は共通線信号網５０を介して交換局４０からサービス特番に対応するサービス内容を識別し（Ｓ１０４）、受信した加入者番号を基に通話内容記録サービス契約加入者か否かを判定する（Ｓ１０５）。
【００６４】
通話内容記録サービス契約加入者か否かの判定は、サービス制御局７０が具備する通話内容記録サービス契約加入者が登録された契約加入者テーブルにより判定する。この契約加入者テーブルには各種サービス毎に契約加入者の加入者番号が登録されている。
【００６５】
サービス制御局７０はサービス要求が通話内容記録サービスであり、且つサービス要求者（移動体端末）が通話内容記録サービス契約加入者であることを識別すると、交換局４０へ共通線信号網５０を介してメッセージセンタ６０への接続を指示する（Ｓ１０６）。
【００６６】
交換局４０は共通線信号網５０を介してメッセージセンタ６０への接続指示を受信すると、メッセージセンタとの通話路を確立し、通話内容の記録を共通線信号網５０を介してメッセージセンタ６０へ指示する（Ｓ１０７）。
【００６７】
このとき、交換局４０は移動体端末１０の加入者番号を通話内容記録指示と併せて送信する。
【００６８】
メッセージセンタ６０は交換局４０から共通線信号網５０を介して通話内容の記録指示を受信し、通話内容の記録を開始する（Ｓ１０８）。
【００６９】
メッセージセンタ６０は通話内容を記録する際、この記録の要求者が誰であるかを特定するために、交換局４０から受信した移動体端末１０の加入者番号を付与して記録する。
【００７０】
記憶装置に加入者番号記憶エリアと通話内容記憶エリアとから構成し、交換局４０から受信したサービス要求者の加入者番号を加入者番号記憶エリアに記録し、その通話内容を通話内容記憶エリアに記録することにより、通話内容の記録要求者を特定することができる。
【００７１】
交換局４０は移動体端末１０と固定端末２０との通話を監視し、通話終了を検出すると（Ｓ１０９）、共通線信号網５０を介してメッセージセンタ６０へ通話内容の記録停止を指示する（Ｓ１１０）。
【００７２】
次に図３に図１を併せて参照し通話内容の再生処理について説明する。
【００７３】
移動体端末１０のユーザが通話終了後に通話内容を再生すべく予め設定されたサービス特番を移動体端末１０を操作して通話内容再生サービスを要求する（図３のステップＳ２０１）。
【００７４】
このサービス要求は基地局３０を介して交換局４０へ送信され、交換局４０はサービス特番を受信すると、この特番に対するサービス内容を共通線信号網５０を介してサービス制御局７０へ問合せする（Ｓ２０２）。
【００７５】
このとき交換局４０は、受信した特番と共に移動体端末１０の識別子（例えば加入者番号）をサービス制御局７０へ送信する。
【００７６】
サービス制御局７０は共通線信号網５０を介して交換局４０からサービス特番に対応するサービス内容を識別し（Ｓ２０３）、受信した加入者番号を基に通話内容記録サービス契約加入者か否かを判定する（Ｓ２０４）。
【００７７】
通話内容記録サービス契約加入者か否かの判定は、サービス制御局７０が具備する通話内容記録サービス契約加入者が登録された契約加入者テーブルにより判定する。この契約加入者テーブルには各種サービス毎に契約加入者の加入者番号が登録されている。
【００７８】
サービス制御局７０はサービス要求が通話内容再生サービスであり、且つサービス要求者（移動体端末）が通話内容記録サービス契約加入者であることを識別すると、交換局４０へ共通線信号網５０を介してメッセージセンタ６０への接続を指示する（Ｓ２０５）。
【００７９】
交換局４０は共通線信号網５０を介してメッセージセンタ６０への接続指示を受信すると、メッセージセンタとの通話路を確立し、通話内容の再生を共通線信号網５０を介してメッセージセンタ６０へ指示する（Ｓ２０６）。
【００８０】
このとき、交換局４０はサービス要求者（移動体端末１０）の加入者番号を通話内容の再生指示と併せてメッセージセンタ６０へ送信する。
【００８１】
メッセージセンタ６０は交換局４０から共通線信号網５０を介して通話内容の再生指示およびサービス要求者の加入者番号を受信し、加入者番号を基に記憶装置を検索し、移動体端末１０の加入者番号に対応して記録されている通話内容の再生を開始する（Ｓ２０７）。
【００８２】
交換局４０は移動体端末１０のオンフックを監視し、オンフックを検出すると（Ｓ２０８）、共通線信号網５０を介してメッセージセンタ６０へ通話内容の再生停止を指示する（Ｓ２０９）。
【００８３】
なお、メッセージセンタに記録した通話内容の消去は、記録を要求した発信者側である移動体端末１０からの所定の操作により可能である。
【００８４】
このように、通話内容を記録する際、通話内容の記録を要求した加入者番号と通話内容を組にして記録し、記録した通話内容を再生するとき、再生を要求した加入者番号を基に記憶装置を検索するので、記録された通話内容は記録要求した加入者（移動体端末１０の加入者）のみ再生可能となり、第三者に通話内容が漏れることはない。
【００８５】
また、通話内容の記録要求時および再生要求時にサービス制御局７０において、サービス要求者が通話内容記録サービス加入者であるか否かを確認し、通話内容記録サービス加入者のみ記録、再生を許可するので、通話内容記録サービス加入者以外の不正使用を回避することができる。
【００８６】
なお、上記説明では通話内容の記録、再生時にサービス要求者（移動体端末１０の）加入者番号（電話番号）をキー情報としたが、不正使用を完全に排除するためには加入者のＩＤ番号を使用することが望ましい。
【００８７】
次に本発明の第２の実施の形態について説明する。
【００８８】
上記第１の実施の形態ではサービスセンタ６０の記録した通話内容は、通話内容の記録を要求した発信側からの要求により再生可能であるが、第２の実施の形態では通話内容記録サービス加入者であれば、着信側からの要求にも対応できる。
【００８９】
すなわち、図２のステップＳ１０７において、交換局４０がメッセージセンタ６０へ通話内容の記録を指示するとき、通話中の両端末（移動体端末１０と固定端末２０）の加入者番号を送信し、ステップＳ１０８において、通話内容を記録するとき、発信者の加入者番号と着信者の加入者番号を対応して記録し、この両加入者番号に対応して通話内容を記録する。
【００９０】
そして、着信者側（固定端末２０）から通話内容の再生要求があったとき、図３のステップＳ２０４において着信者側（固定端末２０）の加入者が通話内容記録サービス契約加入者であることを契約加入者テーブルにより判定し、ステップＳ２０６において、交換局４０から着信者側（固定端末２０）の加入者番号をメッセージセンタ６０へ再生指示と併せて送信し、メッセージセンタ６０は受信した着信者側（固定端末）の加入者番号を基に記憶装置を検索し、発信者側（移動体端末１０）の加入者番号と共に加入者番号記録エリアに記録されている固定端末２０の加入者番号に対応して記録されている通信内容を再生する。
【００９１】
従って、通話内容記録サービス契約加入者であれば、送信側（通話内容記録要求側）だけでなく着信者側からも通話記録内容を再生して聞くことができる。
【００９２】
【発明の効果】
以上説明したように本発明によれば、通話中の通話内容を発信者の簡単な操作により、ネットワーク（電話網）を介してメッセージセンタに記録、再生、消去ができる。
【００９３】
また、通話内容をメッセージセンタの記憶装置に記録するため、移動端末、基地局、交換局は手を加えることなく既存のまま使用することができる。
【００９４】
また、交換局は移動端末からのサービス要求の内容には一切関与せずに、サービス管理をサービス制御局に依存するので、通話内容記録サービス以外の各種サービスの追加、変更、消去が発生しても何ら改造等をすることなく既存のまま対応することができる。
【００９５】
移動通信システム内のすべての移動端末がメッセージセンタの記録装置を共有することができるため、システムのコストパホーマンスが向上する。
【００９６】
通話内容をメッセージセンタに記録できるため、通話者が重要な内容を書き留めておく作業が不要になる。
【００９７】
また、メッセージセンタに記録された通話内容は、通話中の相手である着信側からも再生要求することができる。
【００９８】
また、サービス制御局において、通話内容の記録、再生、消去の際、要求者が通話内容記録サービス契約加入者か否かを識別するため、第三者からのアクセスは排除され、第三者に通話内容が漏れることはない。
【図面の簡単な説明】
【図１】本発明の主要構成を示すシステム構成図である。
【図２】本発明の第１の実施の形態の通話内容の記録処理のフローチャートである。
【図３】本発明の第１の実施の形態の通話内容の再生処理のフローチャートである。
【符号の説明】
１０　　移動体端末
２０　　固定端末
３０　　基地局
４０　　交換局
５０　　共通線信号網
６０　　メッセージセンタ
７０　　サービス制御局
８０　　電話網
【図１】
2004032449.tif 000003
【図２】
2004032449.tif 000004
【図３】
2004032449.tif 000005